(57)【要約】      （修正有）【課題】操作機器のレイアウトが異なる複数の機種を容易かつ低コストで構成することができる表示操作装置を提供する。【解決手段】ファクシミリ装置は、大型液晶表示機器２０、キーユニット４１〜４４、筐体５０、及び、ホルダ８０を備える。筐体５０は、大型液晶表示機器２０と外形が同形状かつ同サイズである取付部６０，７０を有する。取付部６０の固定爪６１，６２及び可動爪６３，６４と取付部７０の固定爪７１，７２及び可動爪７３，７４とは互いに同形状かつ同サイズである。ホルダ８０は、取付部６０，７０に取り付け自在である。大型液晶表示機器２０は取付部６０，７０に直接取り付け自在で、キーユニット４１〜４４のそれぞれは、ホルダ８０を介して取付部６０，７０に取り付け自在である。【選択図】図２
2008306624.tif 000002
【特許請求の範囲】
【請求項１】
表示機器及び入力機器を含む互いにサイズの異なる複数の操作機器のうち少なくとも２個の操作機器が選択的に筐体に取り付けられた表示操作装置であって、
前記筐体は、前記操作機器のうち最大サイズの操作機器と外形が同形状かつ同サイズである少なくとも２個の取付部を備え、
前記複数の取付部のそれぞれは、前記最大サイズの操作機器と係合する取付機構を有する表示操作装置。
【請求項２】
前記最大サイズの操作機器と外形が同形状かつ同サイズであって前記取付機構と係合するホルダをさらに備え、
前記ホルダは、前記最大サイズの操作機器より小サイズの操作機器と係合する係合部材を有する請求項１に記載の表示操作装置。
【請求項３】
前記表示機器は、液晶表示機器であり、
前記ホルダには、前記最大サイズの操作機器より小サイズの液晶表示機器に加えて、前記液晶表示機器用のバックライト部材が装着される請求項２に記載の表示操作装置。
【請求項４】
前記表示機器は、液晶表示機器であり、
前記ホルダには、前記最大サイズの操作機器より小サイズの液晶表示機器に加えて、前記最大サイズの操作機器より小サイズの入力機器が装着される請求項２又は３に記載の表示操作装置。
【請求項５】
前記ホルダは、前記取付部に取り付けられた状態で、装着された操作機器の電気配線を挿通させる第１の孔を有し、
前記取付部は、前記ホルダが取り付けられた状態で前記第１の孔に対応する位置に配置されて前記電気配線を挿通させる第２の孔を有する請求項２から４のいずれかに記載の表示操作装置。
【発明の詳細な説明】
【技術分野】
【０００１】
この発明は、表示機器及び入力機器を含む複数サイズの操作機器が選択的に筐体に取り付けられた表示操作装置に関する。
【背景技術】
【０００２】
ファクシミリ装置等の装置の中には、操作部の筐体に表示機器及び入力機器等の操作機器が取り付けられた表示操作装置を備えたものがある。従来、操作機器は、ビスや樹脂製の爪等によって筐体に固定されており、操作機器のレイアウトが異なる別の機種を構成するためには、別の形状の筐体を形成する必要があった。
【０００３】
操作機器のレイアウトが異なる別の機種を構成するための技術として、筐体の所定位置にフックが形成され、このフックが、駆動基板、インバータ基板、及び、カバー基板の取り付けに兼用されるものがある（例えば、特許文献１参照。）。
【特許文献１】特開２００５−２８６００６公報
【発明の開示】
【発明が解決しようとする課題】
【０００４】
しかし、従来の表示操作装置では、多機能な機種用の部品と基本機能重視の機種用の部品とは、構成及びサイズが異なるので、異なる機種を構成する場合、筐体の取付部の形状及びサイズが異なる複数種類の筐体を形成する必要がある。このため、筐体を形成するための金型の全体を別に形成し、又は、金型の一部を入れ子構造にして成形時に入れ子を交換することによって、取付部の部分を異なった形状及びサイズに形成する必要がある。したがって、複数種類の金型、又は、金型の複数種類の入れ子が必要であり、金型の種類の増加によるコストアップ、及び、成形時の入れ子の交換の手間の増加が生じている。
【０００５】
この発明の目的は、操作機器のレイアウトが異なる複数の機種を容易かつ低コストで構成することができる表示操作装置を提供することにある。
【課題を解決するための手段】
【０００６】
この発明の表示操作装置は、表示機器及び入力機器を含む互いにサイズの異なる複数の操作機器のうち少なくとも２個の操作機器が選択的に筐体に取り付けられた表示操作装置である。筐体は、操作機器のうち最大サイズの操作機器と外形が同形状かつ同サイズである少なくとも２個の取付部を備える。複数の取付部のそれぞれは、最大サイズの操作機器と係合する取付機構を有する。
【０００７】
この構成では、筐体の複数の取付部は、互いに同形状かつ同サイズであって、最大サイズの操作機器と同形状かつ同サイズである。また、取付部のそれぞれは最大サイズの操作機器と係合する取付機構を有する。このため、最大サイズの操作機器は、いずれの取付部にも取り付け可能である。したがって、最大サイズの操作機器の取り付け位置が、容易に変更可能である。
【０００８】
このため、操作機器のレイアウトが異なる機種毎に別形状の筐体を形成する必要がない。したがって、機種毎に筐体用の別の金型及び金型の入れ子を形成する必要がない。
【０００９】
この発明の表示操作装置は、最大サイズの操作機器と外形が同形状かつ同サイズであって取付機構と係合するホルダをさらに備えていてもよい。ホルダは、最大サイズの操作機器より小サイズの操作機器と係合する係合部材を有する。
【００１０】
表示機器が液晶表示機器であり、ホルダには、最大サイズの操作機器より小サイズの液晶表示機器に加えて、液晶表示機器用のバックライト部材が装着されてもよい。
【００１１】
表示機器が液晶表示機器であり、ホルダには、最大サイズの操作機器より小サイズの液晶表示機器に加えて、最大サイズの操作機器より小サイズの入力機器が装着されてもよい。
【００１２】
ホルダは、取付部に取り付けられた状態で、装着された操作機器の電気配線を挿通させる第１の孔を有していてもよい。取付部は、ホルダが取り付けられた状態で第１の孔に対応する位置に配置されて電気配線を挿通させる第２の孔を有していてもよい。
【発明の効果】
【００１３】
この発明によれば、操作機器のレイアウトが異なる複数の機種を、容易かつ低コストで構成することができる。
【発明を実施するための最良の形態】
【００１４】
以下に、この発明を実施するための最良の形態について、図面に基づいて説明する。図１は、この発明の実施形態に係る表示操作装置を備えたファクシミリ装置１０であって大型液晶表示機器２０を搭載した場合のファクシミリ装置１０の外観を示す斜視図である。図２は、大型液晶表示機器２０を搭載した場合の操作部１１を示す底面断面図である。
【００１５】
ファクシミリ装置１０は、操作部１１に、この発明の表示操作装置を一体的に備えている。ファクシミリ装置１０は、操作部１１に、大型液晶表示機器２０、及び、複数のキーユニット４１，４２，４３，４４を備えている。大型液晶表示機器２０はこの発明の表示機器に相当する。キーユニット４１〜４４のそれぞれはこの発明の入力機器に相当する。表示機器及び入力機器のそれぞれは操作機器に相当する。
【００１６】
図３は、操作部１１の取付部６０，７０を示す底面断面図である。
【００１７】
ファクシミリ装置１０は、筐体５０に、複数（この実施形態では２個）の取付部６０，７０を備えている。この実施形態では、取付部６０，７０として、筐体５０に互いに同形状かつ同サイズの２個の孔が形成されている。取付部６０，７０は、取付部６０，７０に取り付けられるべき操作機器のうち最大サイズの操作機器である大型液晶表示機器２０の外形と、略同形状かつ同サイズである。
【００１８】
取付部６０，７０の取付機構は、互いに同形状かつ同サイズに形成されている。取付部６０は、取付機構として、例えば、２個の固定爪６１，６２、及び、２個の可動爪６３，６４を有している。同様に、取付部７０は、取付機構として、例えば、２個の固定爪７１，７２、及び、２個の可動爪７３，７４を有している。固定爪６２，７１，７２は、固定爪６１と同様に形成されている。可動爪６４，７３，７４は、可動爪６３と同様に形成されている。
【００１９】
取付部６０における固定爪６１，６２及び可動爪６３，６４の位置と、取付部７０における固定爪７１，７２及び可動爪７３，７４の位置とは、同じである。固定爪６１，６２と可動爪６３，６４とは、それぞれが互いに対向する位置に配置されている。固定爪７１，７２と可動爪７３，７４とは、それぞれが互いに対向する位置に配置されている。固定爪６１，６２と可動爪６３，６４との間隔は、固定爪７１，７２と可動爪７３，７４との間隔と同じであり、大型液晶表示機器２０が取り付けられた状態における対応する方向（図２における縦方向）の大型液晶表示機器２０の外形寸法と略同じである。
【００２０】
図４は、大型液晶表示機器２０を示す裏面図である。図５は、取付部６０の取付機構の一部を示す断面図である。
【００２１】
図４に示すように、大型液晶表示機器２０は、略矩形の板状を呈している。図５（Ａ）に示すように、固定爪６１は、鉤状を呈している。図５（Ｂ）に示すように、可動爪６３は、逆Ｊ字状に湾曲されている。可動爪６３は、樹脂製であり、湾曲した形状を呈していることで、固定爪６１と可動爪６３とを結ぶ方向に弾性を有している。また、可動爪６３は、先端部に切り欠き部６３１を有している。
【００２２】
大型液晶表示機器２０等の操作機器は、取付部６０に取り付けられた状態で、固定爪６１，６２と可動爪６３，６４のそれぞれの切り欠き部６３１，６４１（切り欠き部６４１は図示されていない）との間に配置され、固定爪６１，６２及び切り欠き部６３１，６４１と係合する。
【００２３】
大型液晶表示機器２０は、一方の端部が固定爪６１，６２に係合した状態で他方の端部を揺動させることで、他方の端部が可動爪６３，６４の弾性力に抗して切り欠き部６３１，６４１に嵌め込まれ、固定爪６１，６２と可動爪６３，６４との間に取り付けられる。可動爪６３，６４が弾性を有しているので、取付部６０への大型液晶表示機器２０の取り付けが容易である。
【００２４】
固定爪６１，６２と可動爪６３，６４の切り欠き部６３１，６４１との間に大型液晶表示機器２０が配置されると、可動爪６３，６４は大型液晶表示機器２０を固定爪６１，６２側へ押圧する。これによって、大型液晶表示機器２０の取り付け位置が安定する。
【００２５】
図６は、複数のキーユニット４１〜４４及びホルダ８０の構成を示す分解図である。
【００２６】
この実施形態では、複数のキーユニット４１〜４４は、ホルダ８０を介して取付部７０に取り付けられる。ホルダ８０の外形は、大型液晶表示機器２０と、略、同形状、同サイズ及び同じ厚さに形成されている。キーユニット４１〜４４のそれぞれの外形は、大型液晶表示機器２０より小サイズである。
【００２７】
キーユニット４１は、リブ８０１Ａ，８０１Ｂ，８０１Ｃに嵌合されることによって、ホルダ８０の所定位置に装着される。キーユニット４２は、リブ８０２Ａ，８０２Ｂに嵌合されることによって、ホルダ８０の所定位置に装着される。キーユニット４３は、リブ８０３Ａ，８０３Ｂ，８０３Ｃ，８０３Ｄ，８０３Ｅに嵌合されることによって、ホルダ８０の所定位置に装着される。キーユニット４４は、リブ８０４Ａ，８０４Ｂに嵌合されることによって、ホルダ８０の所定位置に装着される。
【００２８】
リブ８０１Ａ，８０１Ｂ，８０１Ｃ、リブ８０２Ａ，８０２Ｂ、リブ８０３Ａ，８０３Ｂ，８０３Ｃ，８０３Ｄ，８０３Ｅ、及び、リブ８０４Ａ，８０４Ｂは、この発明の係合部材に相当する。
【００２９】
ホルダ８０は、この実施形態では、取付部７０に取り付けられる。ホルダ８０は、大型液晶表示機器２０の場合と同様にして、固定爪７１，７２と可動爪７３，７４との間に取り付けられる。
【００３０】
キーユニット４１〜４４の電気配線は、取付部７０の孔を挿通される。
【００３１】
上述のように、大型液晶表示機器２０は取付部６０に直接取り付けられ、大型液晶表示機器２０より小サイズのキーユニット４１〜４４は、ホルダ８０を介して取付部７０に取り付けられる。
【００３２】
上述の実施形態では、大型液晶表示機器２０が取付部６０に取り付けられ、キーユニット４１〜４４を装着されたホルダ８０が取付部７０に取り付けられた機種について説明した。しかし、ファクシミリ装置１０では、上述のように、取付部６０，７０が互いに同形状かつ同サイズに形成されているので、大型液晶表示機器２０を取付部７０に取り付け、ホルダ８０を取付部６０に取り付けることもできる。これによって、大型液晶表示機器２０とキーユニット４１〜４４との配置位置が交換された別の機種が、容易に構成される。
【００３３】
同様にして、図７に示すように、大型液晶表示機器２０及びホルダ８０と同様の外形を有するホルダ８１（図９（Ｂ）参照）に、小型液晶表示機器３０を装着してホルダ８１を取付部６０又は取付部７０に取り付けることで、大型液晶表示機器２０より小サイズの表示機器を搭載した機種を、容易かつ低コストで構成することができる。小型液晶表示機器３０はこの発明の表示機器に相当する。以下に、詳細に説明する。
【００３４】
図８は、小型液晶表示機器３０を搭載した場合の操作部１１を示す底面断面図である。図９（Ａ）は小型液晶表示機器３０を示す平面図であり、図９（Ｂ）はホルダ８１を示す平面図であり、図９（Ｃ）はキーユニット４５を示す平面図であり、図９（Ｄ）はホルダ８１を示す裏面図であり、図９（Ｅ）はバックライト部材９０を示す裏面図である。
【００３５】
この実施形態では、キーユニット４１〜４４がホルダ８０を介して取付部７０に取り付けられ、小型液晶表示機器３０がホルダ８１を介して取付部６０に取り付けられている。
【００３６】
この実施形態では、ホルダ８１に、小型液晶表示機器３０、キーユニット４５、及び、小型液晶表示機器３０用のバックライト部材９０が装着されている。キーユニット４５はこの発明の入力機器に相当する。この実施形態では、小型液晶表示機器３０はホルダ８１に表面側から装着され、バックライト部材９０はホルダ８１に裏面側から装着されている。
【００３７】
ホルダ８１は、小型液晶表示機器３０用の孔８１１、及び、キーユニット４５用の孔８１２を有している。孔８１１及び孔８１２は、この発明の第１の孔に相当する。取付部６０，７０として形成された孔は、この発明の第２の孔に相当する。
【００３８】
小型液晶表示機器３０は、まず、右側端部の一部が孔８１１を通って裏面側に配置された状態で、孔８１１の右縁部の裏面に配置されている図９（Ｄ）に示すリブ８１３，８１４に押し当てられる。次に、小型液晶表示機器３０の左側端部が右側端部を中心に揺動されて、ホルダ８１の保持面８１５と、外れ防止爪８１６，８１７及び可動爪８１８との間に挟み込まれる。これによって、小型液晶表示機器３０はホルダ８１に装着される。
【００３９】
小型液晶表示機器３０がホルダ８１に装着された状態で、外れ防止爪８１６，８１７は孔８１１の中心に向けて弾性を有しており、小型液晶表示機器３０は、外れ防止爪８１６，８１７によってリブ８１３，８１４に押し当てられる。また、小型液晶表示機器３０は、可動爪８１８によってホルダ８１の奥側係止部８１９に押し当てられる。これによって、小型液晶表示機器３０の取り付け位置が安定する。
【００４０】
小型液晶表示機器３０の電気配線は、ホルダ８１の孔８１１及び取付部６０の孔を挿通される。ホルダ８１が取付部６０に取り付けられた状態でホルダ８１の孔８１１と取付部６０の孔とが互いに対向する位置に配置されている。このため、操作機器のレイアウトが変更された場合でも、操作機器の電気配線の配置が容易である。
【００４１】
ホルダ８１の表面側において孔８１１の周囲の縁部８２０は、孔８１１の中心へ向けて下り傾斜する斜面である。
【００４２】
バックライト部材９０は、孔８１１の縁部８２０の裏面に配置される。ホルダ８１の孔８１１の縁部８２０の裏面には、固定爪８２１、可動爪８２２、及び、位置決めボス８２３，８２４が配置されている。バックライト部材９０は、固定爪８２１、可動爪８２２、及び、位置決めボス８２３，８２４によって、ホルダ８１の所定位置に位置決めされて装着される。可動爪８２２は、バックライト部材９０を固定爪８２１及び位置決めボス８２３，８２４に押し当てるので、バックライト部材９０のホルダ８１への取り付け位置が安定する。バックライト部材９０の電気配線は、取付部６０の孔を挿通される。
【００４３】
キーユニット４５は、ホルダ８１に裏面側から孔８１２に挿通され、外縁部が孔８１２の縁部に係合した状態でホルダ８１に装着される。キーユニット４５は、位置決めボス８２５，８２６によってホルダ８１の所定位置に位置決めされる。キーユニット４５の電気配線は、取付部６０の孔を挿通される。
【００４４】
上述のようにして小型液晶表示機器３０、バックライト部材９０、及び、キーユニット４５を装着されたホルダ８１は、この実施形態では取付部６０に、固定爪６１，６２及び可動爪６３，６４によって取り付けられる。
【００４５】
上述のように、取付部６０，７０及びその取付機構が互いに同形状かつ同サイズに形成されているので、大型液晶表示機器２０、ホルダ８０，８１は、取付部６０及び取付部７０のいずれにも取り付けることができる。このため、大型液晶表示機器２０と、キーユニット４１〜４４が装着されたホルダ８０と、の取り付け位置を交換することが容易である。また、小型液晶表示機器３０、キーユニット４５及びバックライト部材９０が装着されたホルダ８１と、キーユニット４１〜４４が装着されたホルダ８０と、の取り付け位置を交換することが容易である。さらに、大型液晶表示機器２０とホルダ８１とを取付部６０，７０のそれぞれに取り付けることも容易である。
【００４６】
外形が大型液晶表示機器２０と同形状かつ同サイズのホルダ８０，８１を用いることで、大型液晶表示機器２０より小サイズの表示機器及び入力機器等の操作機器を、自由な組み合わせでレイアウトすることができる。
【００４７】
このように、ファクシミリ装置１０によれば、操作機器のレイアウトが異なる複数の機種を構成するために、筐体５０に代えて別の種類の筐体を形成する必要がないので、単一の金型で筐体を形成することができる。このため、操作機器のレイアウトのバリエーションのために金型の入れ子を形成する必要もない。したがって、操作機器のレイアウトが異なる複数の機種を、容易かつ低コストで構成することができる。
【００４８】
また、ホルダ８１に、バックライト部材９０やキーユニット４５を装着することで、操作部１１の省スペース化を図ることができる。
【００４９】
なお、大型液晶表示機器２０及びホルダ８０，８１は、取付部６０，７０の取付機構、即ち、取付部６０の固定爪６１，６２及び可動爪６３，６４、並びに、取付部７０の固定爪７１，７２及び可動爪７３，７４、と係合する係止部を備えていてもよい。この場合、大型液晶表示機器２０及びホルダ８０，８１のそれぞれが備える係止部は、互いに同形状かつ同サイズである。
【００５０】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５１】
【図１】この発明の実施形態に係る表示操作装置を備えたファクシミリ装置であって大型液晶表示機器を搭載した場合のファクシミリ装置の外観を示す斜視図である。
【図２】大型液晶表示機器を搭載した場合の操作部を示す底面断面図である。
【図３】操作部の取付部を示す底面断面図である。
【図４】大型液晶表示機器を示す裏面図である。
【図５】取付部の取付機構の一部を示す断面図である。
【図６】複数のキーユニット及びホルダの構成を示す分解図である。
【図７】小型液晶表示機器を搭載した場合のファクシミリ装置の外観を示す斜視図である。
【図８】小型液晶表示機器を搭載した場合の操作部を示す底面断面図である。
【図９】（Ａ）は小型液晶表示機器を示す平面図であり、（Ｂ）はホルダを示す平面図であり、（Ｃ）はキーユニットを示す平面図であり、（Ｄ）はホルダを示す裏面図であり、（Ｅ）はバックライト部材を示す裏面図である。
【符号の説明】
【００５２】
１０  ファクシミリ装置
１１  操作部
２０  大型液晶表示機器（表示機器）
３０  小型液晶表示機器（表示機器）
４１〜４５  キーユニット（入力機器）
５０  筐体
６０，７０  取付部
６１，６２，７１，７２  固定爪（取付機構）
６３，６４，７３，７４  可動爪（取付機構）
８０，８１  ホルダ
９０  バックライト部材
８１１，８１２  孔（第１の孔）
８０１Ａ，８０１Ｂ，８０１Ｃ，８０２Ａ，８０２Ｂ，リブ８０３Ａ，８０３Ｂ，８０３Ｃ，８０３Ｄ，８０３Ｅ，８０４Ａ，８０４Ｂ  リブ（係合部材）
８１３，８１４  リブ（係合部材）
８１６，８１７  外れ防止爪（係合部材）
８１８  可動爪（係合部材）
８１９  奥側係止部（係合部材）
８２１  固定爪（係合部材）
８２２  可動爪（係合部材）
８２３，８２４  位置決めボス（係合部材）
８２５，８２６  位置決めボス（係合部材）
【図１】
2008306624.tif 000003
【図２】
2008306624.tif 000004
【図３】
2008306624.tif 000005
【図４】
2008306624.tif 000006
【図５】
2008306624.tif 000007
【図６】
2008306624.tif 000008
【図７】
2008306624.tif 000009
【図８】
2008306624.tif 000010
【図９】
2008306624.tif 000011